(57)【要約】【課題】  カメラからの画像を表示装置で表示するに際して、ディスプレイ上で画像と共にアラーム情報を効果的に表示することができる画像表示プログラムを提供する。【解決手段】  カメラからの画像を表示する画像表示装置を構成するコンピュータに実行させるプログラムは、アラーム情報を取得する取得機能と、前記取得されたアラーム情報に基づいてアラーム通知手段を表示する表示機能と、前記アラーム通知手段を表示してから所定時間経過後に前記アラーム通知手段の表示態様を変更する表示変更機能を当該コンピュータにより実現するように構成される。【選択図】  図４
2006227683.tif 000002
【特許請求の範囲】
【請求項１】
カメラからの画像を表示する画像表示装置を構成するコンピュータに実行させるプログラムであって、
アラーム情報を取得する取得機能と、
前記取得されたアラーム情報に基づいてアラーム通知手段を表示する表示機能と、
前記アラーム通知手段を表示してから所定時間経過後に前記アラーム通知手段の
表示態様を変更する表示変更機能を、
当該コンピュータにより実現することを特徴とするプログラム。
【請求項２】
請求項１に記載のプログラムにおいて、
前記アラーム通知手段の表示態様の変更とは、前記アラーム通知手段の透明度を上げることである、
ことを特徴とするプログラム。
【請求項３】
請求項１に記載のプログラムにおいて、
前記アラーム通知手段を透過表示にして、前記アラーム通知手段を前記画像の表示エリア上に重畳して表示する、
ことを特徴とするプログラム。
【発明の詳細な説明】
【技術分野】
【０００１】
本発明は、遠隔地のカメラ等から得られた画像を表示する表示装置を実現するためのプログラムに関し、特に、画像と併せてアラーム情報を効果的に表示することができるプログラムに関する。
【背景技術】
【０００２】
従来、例えば河川の水位、道路の混雑状況、あるいは防犯・防災等を監視する目的で監視カメラを設置し、この監視カメラで撮影した画像（映像とも言う）を伝送回線（ネットワーク）により監視センタやクライアント端末等に伝送して遠隔監視する遠隔監視システムが用いられている（例えば、特許文献１参照。）。
【０００３】
図５には、遠隔監視システムにおけるクライアント端末のディスプレイの画面構成の一例を示してある。
図５に示されるディスプレイ５０１は、ディスプレイ５０１の画面上のメインウィンドウ５０２と、メインウィンドウ５０２の中に配置される画像表示部５０３と、アラーム通知部５０４と、カメラ操作部５０５から構成されている。画像表示部５０３には、監視カメラからネットワークを介して得られた画像データを再生した画像を表示する。アラーム通知部５０４には、例えば、監視カメラの撮影領域に設置した外部センサからアラーム信号を受信した場合に、アラーム情報を表示する。カメラ操作部５０５には、監視カメラの方向、フォーカス、ズーム等を遠隔制御するための操作ボタン等を表示する。
【特許文献１】特開２００３−２７４０５０号公報
【発明の開示】
【発明が解決しようとする課題】
【０００４】
しかしながら、上記従来の遠隔監視システムにおけるクライアント端末のディスプレイにおいては、例えば、画像表示部５０３の表示サイズをより大きくするために広げようとした場合に、アラーム通知部５０４やカメラ操作部５０５等も同時にディスプレイ上に表示しようとすると、これらのスペースも確保する必要があるため、画像表示部５０３の表示サイズをディスプレイ一杯に広げることができないといった問題があった。また、従来の遠隔監視システムでは、アラーム情報を画像と共にディスプレイ上に効果的に表示する手法について十分な検討がなされていなかった。
【０００５】
本発明は、このような従来の事情に鑑み為されたもので、例えば、遠隔地のカメラ等から得られた画像を表示装置により表示するに際して、画像と併せてアラーム情報を効果的に表示することができるアラーム情報表示のためのプログラムを提供することを目的とする。
【課題を解決するための手段】
【０００６】
上記目的を達成するため、本例に係るアラーム情報表示プログラムでは、カメラからの画像を表示する画像表示装置を構成するコンピュータに実行させるプログラムであって、アラーム情報を取得する取得機能と、前記取得されたアラーム情報に基づいてアラーム通知手段を表示する表示機能と、前記アラーム通知手段を表示してから所定時間経過後に前記アラーム通知手段の表示態様を変更する表示変更機能を、当該コンピュータにより実現する。
【０００７】
また、上記目的を達成するため、本例に係るアラーム情報表示プログラムにおいて、前記アラーム通知手段の表示態様の変更とは、前記アラーム通知手段の透明度を上げることである。
【０００８】
また、上記目的を達成するため、本例に係るアラーム情報表示プログラムにおいて、前記アラーム通知手段を透過表示にして、前記アラーム通知手段を前記画像の表示エリア上に重畳して表示する。
【発明の効果】
【０００９】
本発明に係るアラーム情報表示プログラムによると、例えば、画像表示部上にアラーム通知部を重畳して表示するようにすると共にアラーム通知部を表示してから所定時間経過後にアラーム通知部の表示態様を変えるようにしたため、ディスプレイ上で画像と併せてアラーム情報を効果的に表示することが可能である。
【発明を実施するための最良の形態】
【００１０】
以下、本発明の実施の形態について、図面を参照しながら説明する。
図２には、本発明の一実施例に係る画像配信システムの構成例を示してある。
図２に示される画像配信システムは、複数のセンサ２０１（２０１−１〜２０１−ｎ）と、複数のカメラ２０２（２０２−１〜２０２−ｎ）と、Ｗｅｂエンコーダ２００と、複数のセンサ２０３（２０３−１〜２０３−ｍ）と、複数のＷｅｂカメラ２０４（２０４−１〜２０４−ｍ）と、ネットワーク２０５と、クライアント端末２０６から構成されている。なお、ｎ、ｍは１以上の整数を表す。
【００１１】
Ｗｅｂエンコーダ２００は、カメラ２０２から出力される画像信号や音声信号などを収集して、該収集した画像信号などを圧縮符号化（例えば、ＭＰＥＧ−２、ＪＰＥＧ形式等）するなどして生成したデータをパケット化し、ＩＰパケットとしてネットワーク２０５を介してクライアント端末２０６に配信する。また、Ｗｅｂエンコーダ２００は、異常を検出したセンサ２０１から出力されるアラーム信号を収集して、アラーム情報をネットワーク２０５を介してクライアント端末２０６に配信する。ここで、センサ２０１は、赤外線センサや熱センサや画像処理による異常検知センサ等、種々なものを用いることが可能である。
【００１２】
また、Ｗｅｂエンコーダ２００は、ネットワーク２０５を介してクライアント端末２０６から送信された指令を受信し、受信した指令に基づいて、例えば、シリアル通信によりカメラ２０２を制御する。なお、ここでは、簡単化のために、１つのセンサに対応して１台のカメラを設置するものと仮定するが、センサ数とカメラ台数との組み合わせは任意に選択できる。また、Ｗｅｂエンコーダに接続されるカメラ２０２は１台であってもよい。なお、Ｗｅｂカメラ２０４は、データの圧縮符号化機能（例えば、ＭＰＥＧ−２、ＪＰＥＧ形式等）及びセンサ２０３からのアラーム信号受信機能及びクライアント端末２０６への配信機能等を備えたカメラであり、カメラ２０２と、Ｗｅｂエンコーダ２００の機能を併せ持つ。
【００１３】
ここで、カメラ２０２やＷｅｂカメラ２０４は、クライアント端末２０６からの指令により例えば撮影方向、フォーカス、ズーム等を制御できるように構成されている。即ち、カメラ２０２やＷｅｂカメラ２０４の撮影方向は、例えばカメラ雲台と呼ばれるモータ等の駆動機構を備えた装置により、上、下、左、右、右上、右下、左上、左下等、任意の方向に旋回できるようになっている。また、カメラ２０２やＷｅｂカメラ２０４の撮影視野は、撮像レンズを制御することによりフォーカスの調整、ズームインやズームアウト等が自由に行えるように構成されている。
【００１４】
クライアント端末２０６は、例えばＰＣ（パーソナルコンピュータ）等を用いて構成されるもので、ディスプレイを備えている。従って、クライアント端末２０６のディスプレイには、Ｗｅｂエンコーダ２００やＷｅｂカメラ２０４から受信した画像を復号化して表示したり、センサ２０１、２０３からのアラーム信号に基づきＷｅｂエンコーダ２００やＷｅｂカメラ２０４からクライアント端末２０６に対して送信されるアラーム情報などを表示することができる。また、クライアント端末２０６は、ネットワークを介して受信した画像データ等をハードディスク等の記憶装置（不図示）に保存することもできる。更に、クライアント端末２０６からネットワーク２０５を介してＷｅｂエンコーダ２００やＷｅｂカメラ２０４に指令を送信することにより、カメラ２０２やＷｅｂカメラ２０４の撮影方向、フォーカス、ズームや、センサ２０１、２０３の感度、電源オンオフ等を調整することができる。ここでは、簡単化のために、クライアント端末２０６は１台として説明するが、クライアント端末２０６は複数台あってもよい。
【００１５】
なお、上述したカメラ２０２などの画像をネットワーク２０５を介して所得する機能や、所得した画像をディスプレイに表示する機能や、アラーム情報をネットワーク２０５を介して取得する機能や、取得したアラーム情報をディスプレイに表示する機能などは、例えば、クライアント端末２０６の記憶装置にインストールされたプログラムをクライアント端末２０６のＣＰＵ（不図示）が実行することにより実現される。
【００１６】
また、上述した画像配信システムについては、カメラ２０２や、クライアント端末２０６等の構成およびこれらの接続形式は、以上の実施例に限られるものではない。即ち、例えば、ネットワーク２０５を介さずにセンサ２０１やカメラ２０２と、クライアント端末２０６とが接続されるような構成や、カメラ２０２から出力されたアナログの画像信号がクライアント端末２０６に入力されるような構成等を用いることが可能である。また、センサ２０１とカメラ２０２の機能が一体化された装置が用いられてもよい。
【００１７】
図１には、本発明の一実施例に係るクライアント端末２０６のディスプレイ一杯に画像表示部を広げた状態の画面構成例を示してある。
図１に示されるディスプレイ１０１は、ディスプレイ１０１の画面上のメインウィンドウ１０２と、メインウィンドウ１０２の中に配置される画像表示部１０３と、アラーム通知部１０４から構成されている。
【００１８】
画像表示部１０３には、Ｗｅｂエンコーダ２００などからネットワーク２０５を介して得られた画像データを再生（復号化）した画像を表示する。なお、図１では、４台のカメラの画像を同時に表示する４画面分割の画面構成となっており、例えば、それぞれ画面には異なるカメラ２０２の画像を表示すること等ができる。
【００１９】
なお、画像表示部１０３の表示形態は４分割画面表示の他、種々な形態が用いられてもよく、例えば、表示するカメラを選択して一つのカメラの画像を表示することも可能である。
【００２０】
アラーム通知部１０４は、常時表示されているわけではなく、クライアント端末２０６がアラーム情報を受信した場合に、オペレータに異常の発生を知らせるために表示される。また、アラーム通知部１０４は半透明となっていて透けており（透過表示）、画像表示部１０３に重畳させて配置しても、オペレータは上層のウィンドウの表示画面を透過して下層のウィンドウの表示画面の内容を見ることができる。また、後述するように、アラーム通知部１０４の表示態様は、初めのうちは目立つような態様で表示され（透明度が低い）、所定時間が経過すると目立たないような表示態様に変更される（透明度が高い）。
【００２１】
図３には、本発明の一実施例に係るアラーム通知部１０４の構成例を示してある。アラーム通知部１０４には、例えば、Ｗｅｂエンコーダ２００等から受信したアラーム情報に基づいて、例えば、異常を検出したセンサ２０１の設置エリアを撮像しているカメラ２０２のカメラ番号や、異常が発生した時刻等が表示される。なお、異常が発生した時刻としては、例えば、センサ２０１やセンサ２０３が異常を検知した時刻が用いられてもよく、また、例えば、クライアント端末２０６がアラーム情報を受信した時刻が用いられてもよい。
【００２２】
なお、アラーム通知部１０４は、画像表示部１０３上の所定の位置に表示された後は、例えば、ドラッグ＆ドロップ操作等によりメインウィンドウ１０２内をオペレータが自由に移動させることができるウィンドウ（フロートウィンドウ）である。また、アラーム通知部１０４は、非表示ボタン１０４−１を押すことによって非表示とすることができる。なお、アラーム通知部１０４が表示された後、後述するようにその表示態様が変更された後に、所定時間以上オペレータによりカメラ操作部１０４に設けられた非表示ボタン１０４−１の押下が行われなかった場合には、アラーム通知部１０４を自動的に非表示とするようにしてもよい。
【００２３】
図４には、本発明の一実施例に係るアラーム通知部１０４を表示する際の処理の手順の一例を示してある。
まず、クライアント端末２０６においてアラーム情報が受信されたか否かが判定される（ステップＳ４０１）。アラーム情報が受信されていない場合には、ステップＳ４０１の判定処理が続行される。
【００２４】
クライアント端末２０６がアラーム情報を受信した場合には、クライアント端末２０６は、受信したアラーム情報に基づいてアラーム通知部１０４を画像表示部１０３上に重畳表示する（ステップＳ４０２）。この場合、オペレータにアラームが発生したことを知らせるために、アラーム通知部１０４を目立つように、例えば、アラーム通知部１０４全体の透明度を低く設定し（例えば、２０％）、濃い赤色のような態様で表示する。
【００２５】
次に、ステップＳ４０２によりアラーム通知部１０４を表示してから所定時間（例えば、５秒）が経過したか否かが判定される（ステップＳ４０３）。所定時間が経過していない場合には、ステップＳ４０１の判定処理が続行される。
【００２６】
一方、所定時間が経過した場合には（ステップＳ４０３でＹＥＳ）、クライアント端末２０６は、アラーム通知部１０４全体の透明度を上げて（例えば、６０％）、アラーム通知部１０４を薄いピンク色のような態様で画像表示部１０３上に再表示する（ステップＳ４０４）。
【００２７】
従って、本発明の一実施例に係るクライアント端末２０６の画面構成においては、アラーム通知部１０４を画像表示部１０３に重畳させることで、図５に示すように、アラーム通知部３０４等の表示領域を固定的に設けている場合と比べて、画像表示部１０３の表示領域を広くすることができ、また、画像表示部１０３に重畳させるアラーム通知部１０４を透過表示とすることで重なった部分の画像も見ることができるため、ディスプレイ上に画像を効果的に表示することが可能である。更に、アラーム通知部１０４を初めのうちは目立つような態様で表示し、所定時間が経過した後、目立たないような表示態様に変更することで、オペレータに異常の発生を効果的に知らせることが可能である。
【００２８】
ここで、本例では、アラーム通知部１０４を透過表示とし、初めのうちは透明度を低く設定し、所定時間が経過した後は透明度を高くするような構成を示したが、他の構成例として、透過表示以外の表示態様を用いて、アラーム通知部１０４を初めのうちは目立つ態様で表示し、所定時間が経過した後は目立たないような態様で表示するような構成が用いられてもよい。
【００２９】
ここで、本発明に係る画像表示プログラムなどの構成としては、必ずしも以上に示したものに限られず、種々な構成が用いられてもよい。また、本発明は、例えば、本発明に係る処理を実行する装置や、本発明に係る処理を実行するプログラムを記録する記録媒体などとして提供することも可能であり、また、種々な装置やシステムとして提供することも可能である。
【００３０】
また、本発明の適用分野としては、必ずしも以上に示したものに限られず、本発明は、種々な分野に適用することが可能なものである。
また、本発明に係る画像表示プログラムなどにおいて行われる各種の処理としては、例えばプロセッサやメモリ等を備えたハードウエア資源においてプロセッサがＲＯＭ（Read Only Memory）に格納された制御プログラムを実行することにより制御される構成が用いられてもよく、また、例えば当該処理を実行するための各機能手段が独立したハードウエア回路として構成されてもよい。
【００３１】
また、本発明は上記の制御プログラムを格納したフロッピー（登録商標）ディスクやＣＤ（Compact Disc）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【００３２】
また、上記の制御プログラムは、初めからコンピュータに備えるＲＯＭやハードディスク等の記憶手段に格納しておいてもよいが、記録媒体であるＣＤ−ＲＯＭやメモリカード等の不揮発性記録媒体に記録して提供することもできる。そして、記録されたプログラムをコンピュータにインストールしてＣＰＵに実行させるか、ＣＰＵにその記憶媒体からこのプログラムを読み出して実行させることにより、上述した各手順を実行させることができる。更に、ネットワークに接続され、プログラムを記録した記録媒体を備える外部機器あるいはプログラムを記憶手段に記憶した外部機器からダウンロードして実行させることも可能である。
【図面の簡単な説明】
【００３３】
【図１】本発明の一実施例に係るクライアント端末の画面構成例を示す図である。
【図２】本発明の一実施例に係る画像配信システムの構成例を示す図である。
【図３】本発明の一実施例に係るアラーム通知部の構成例を示す図である。
【図４】本発明の一実施例に係るアラーム通知部を表示する処理の手順の一例を示す図である。
【図５】クライアント端末の画面構成例を示す図である。
【符号の説明】
【００３４】
１０１：ディスプレイ、１０２：メインウィンドウ、１０３：画像表示部、１０４：アラーム通知部、２００：Ｗｅｂエンコーダ、２０１、２０３：センサ、２０２：カメラ、２０４：Ｗｅｂカメラ、２０５：ネットワーク、２０６：クライアント端末
【図１】
2006227683.tif 000003
【図２】
2006227683.tif 000004
【図３】
2006227683.tif 000005
【図４】
2006227683.tif 000006
【図５】
2006227683.tif 000007